(57)【要約】【課題】  外部からの信号により、多様な振動状態を実現可能な携帯リズム体感器具を提供する。【解決手段】  音判別装置は、予め周波数帯により、第１の音としての低音域と、第２の音としての中音域と、第３の音としての高音域とに区分する。マイクが検出した音情報が音判別装置に入力されると（Ｓ１１）、音判別装置は、その音情報の周波数帯が予め設定した低音域に含まれるか否かを判断する（Ｓ１２）。低音域に含まれる場合には（Ｓ１２でＹｅｓ）、第１制御部から第１振動体１５を動作させる信号を発する（Ｓ１３）。中音域に含まれる場合には（Ｓ１４でＹｅｓ）、第２制御部から第２振動体１６を動作させる信号を発する（Ｓ１５）。高音域に含まれる場合には（Ｓ１６でＹｅｓ）、第３制御部が第３振動体１７を動作させる信号を発する（Ｓ１７）。【選択図】      図４
0003113563.tif 000002
【実用新案登録請求の範囲】
【請求項１】
人体の所定部位に当てられる接触部と、
前記接触部内に配置される第１振動体と、
前記接触部内であって前記第１振動体とは異なる位置に配置される第２振動体と、
異なった種類の情報を収集する情報収集手段と、
情報収集手段によって収集した情報の種類を判別する情報判別手段と、
前記情報判別手段によって第１の情報が検出されたことに応答して前記第１振動体を動作させる信号を発する第１制御部、および前記情報判別手段によって前記第１の情報とは異なる第２の情報が検出されたことに応答して前記第２振動体を動作させる信号を発する第２制御部を含む振動制御手段とを備える、携帯リズム体感器具。
【請求項２】
前記情報判別手段は、異なった周波数帯域の音を判別する音判別手段であり、
前記第１の情報は低周波数帯域の音であり、前記第２の情報は高周波数帯域の音である、請求項１に記載の携帯リズム体感器具。
【請求項３】
前記情報判別手段は、音の強弱を判別する音判別手段であり、
前記第１の情報は弱い音であり、前記第２の情報は強い音である、請求項１または２に記載の携帯リズム体感器具。
【請求項４】
前記情報判別手段は、ビットデータを判別するビットデータ判別手段であり、
前記第１の情報および前記第２の情報は、予め定められたビット列である、請求項１に記載の携帯リズム体感器具。
【請求項５】
前記第１振動体および第２振動体は、互いに振動の態様が異なっている、請求項１〜４のいずれかに記載の携帯リズム体感器具。
【請求項６】
前記振動制御手段は、前記情報判別手段が判別した情報の種類によって、前記第１振動体および前記第２振動体の振動の態様を任意に変更する、請求項１〜５のいずれかに記載の携帯リズム体感器具。
【請求項７】
前記振動の態様は、振動の強さ、および／または、振動の周期である、請求項５または６に記載の携帯リズム体感器具。
【考案の詳細な説明】
【技術分野】
【０００１】
この考案は、人体の所定の部位に対して刺激を与える器具に関し、特に、音情報を感知してリズムを体感できる携帯リズム体感器具に関するものである。
【背景技術】
【０００２】
従来、人体の所定の部位に対して刺激を与える器具として、例えば、特開２００３−２６５５６９号公報（特許文献１）に記載されている。図１に示すように、同公報に記載されているマッサージ器具１は、バイブレータ２と、携帯電話の着信に反応するセンサ３とを備え、バイブレータ２およびセンサ３が接続ケーブル４により接続されている。
【０００３】
このマッサージ器具１は、センサ３により携帯電話の着信電波を感知して、バイブレータ２の作動のＯＮ／ＯＦＦを切り替えるものである。
【特許文献１】特開２００３−２６５５６９号公報（段落番号０００８等）
【考案の開示】
【考案が解決しようとする課題】
【０００４】
上記公報に記載されているマッサージ器具１は、バイブレータ２の作動状態を使用者の意志とは無関係に変更することができる。しかし、作動状態としては、バイブレータ２が、振動している状態、または、振動していない状態の２つの状態しかないので、作動の態様が意外性に乏しい。
【０００５】
そこで、本考案の目的は、外部からの信号により、多様な作動状態を任意に変更可能な携帯リズム体感器具を提供することである。
【課題を解決するための手段】
【０００６】
この発明に係る携帯リズム体感器具は、人体の所定の部位に当てられる接触部と、接触部内に配置される第１振動体と、接触部内であって第１振動体とは異なる位置に配置される第２振動体と、異なった種類の情報を収集する情報収集手段と、情報収集手段によって収集した情報の種類を判別する情報判別手段と、情報判別手段によって第１の情報が検出されたことに応答して第１振動体を動作させる信号を発する第１制御部、および、情報判別手段によって第１の情報とは異なる第２の情報が検出されたことに応答して第２振動体を動作させる信号を発する第２制御部を含む振動制御手段とを備える。
【０００７】
上記構成とすることにより、使用者の意志とは無関係に、多様な振動状態を実現可能となるので、より意外性に富んだリズム体感および快感を得ることができる。
【０００８】
情報判別手段は、例えば、異なった周波数帯域の音を判別する音判別手段であって、第１の情報は低周波数帯域の音であり、第２の情報は高周波数帯域の音であるとよい。または、情報判別手段は、例えば、音の強さを判別する情報判別手段であって、第１の情報は弱い音であり、第２の情報は強い音である。これにより、例えば、入力する情報を音楽等とすることにより、音楽の音域やテンポによって、多様な振動状態を実現可能な携帯リズム体感器具を得ることができる。
【０００９】
さらには、情報判別手段は、ビットデータを判別するビットデータ判別手段であり、第１の情報および第２の情報は予め定められたビット列であってもよい。これにより、ＰＣ、テレビ、各種携帯情報端末等から直接、音楽等の情報を入力することができる。
【００１０】
好ましくは、第１振動体および第２振動体は、互いに振動の態様が異なっている。また、好ましくは、振動制御手段は、情報判別手段が判別した情報の種類によって、第１振動体および第２振動体の振動の態様を任意に変更する。そして、振動の態様とは、例えば、振動の強さ、および／または、振動の周期である。
【００１１】
接触部に内蔵される第１振動体および第２振動体には、その振動の強さ、または、振動の周期が互いに異なる振動体を使用することにより、または、振動制御手段により、各振動体の振動の強さ、および／または、振動の周期を任意に制御可能とすることにより、使用者の意志とは無関係に、より多様な振動状態を実現可能な携帯リズム体感器具を得ることができる。
【００１２】
その結果、上記の携帯リズム体感器具を、音楽鑑賞時などの携帯リズム体感器具として使用することにより、より大きな感動および快感を得ることができる。
【考案の効果】
【００１３】
この考案は、使用者の意志とは無関係に、人体の所定の接触部に多様なリズム振動状態を実現することができるので、意外性に富んだリズム体感および快感を与えることができる携帯リズム体感器具を得ることができる。
【考案を実施するための最良の形態】
【００１４】
図２および図３を参照して、この考案の一実施形態に係る音感知式携帯リズム体感器具を説明する。
【００１５】
携帯リズム体感器具１１は、図３に示すように、人体の所定の部位に当てられる接触部１２と、異なった種類の音を収集する情報収集手段としてのマイク１３と、振動制御手段として動作する振動制御装置（図示せず）を含む、携帯可能な大きさの本体１４とを備える。また、本体１４には、主電源スイッチ１４ａと、接触部１２の振動の大きさを調節する調節つまみ１４ｂとが設けられている。
【００１６】
また、図３は、接触部１２の拡大断面図である。接触部１２は、その長手方向の位置をずらして、それぞれ振動発生手段として動作する第１振動体１５と、第２振動体１６と、第３振動体１７とを内蔵する。
【００１７】
振動制御装置は、マイク１３から入力される音の種類を判別する情報判別手段としての音判別装置と、音判別装置によって検出された音の属する音域によって、振動体１５，１６，１７それぞれを動作させる信号を発する第１〜第３制御部（図示せず）を含む。
【００１８】
例えば、図４を参照して、図２に示した携帯リズム体感器具１１の動作の一例を説明する。
【００１９】
音判別装置は、予め周波数帯により、第１の音としての低音域と、第２の音としての中音域と、第３の音としての高音域とに区分する。マイク１３が検出した音情報が音判別装置に入力されると（ステップＳ１１、以下、「ステップ」を省略する）、音判別装置は、その音情報の周波数帯が予め設定した低音域に含まれるか否かを判断する（Ｓ１２）。低音域に含まれる場合には（Ｓ１２でＹｅｓ）、第１制御部から第１振動体１５を動作させる信号を発する（Ｓ１３）。
【００２０】
入力された音情報が低音域に含まれない場合（Ｓ１２でＮｏ）、次に、音判別装置は、中音域に含まれるか否かを判断する（Ｓ１４）。中音域に含まれる場合には（Ｓ１４でＹｅｓ）、第２制御部から第２振動体１６を動作させる信号を発する（Ｓ１５）。
【００２１】
同様に、入力された音情報が中音域に含まれない場合は（Ｓ１４でＮｏ）、音判別装置は、高音域に含まれるか否かを判断し、含まれる場合には（Ｓ１６でＹｅｓ）、第３制御部が第３振動体１７を動作させる信号を発する（Ｓ１７）。
【００２２】
一方、入力された音情報が低音域、中音域、高音域のいずれにも含まれない場合、すなわち、低音域よりも低周波数の音や、高音域よりも高周波数の音であった場合には（Ｓ１６でＮｏ）、振動体１５，１６，１７の動作指示を行うことなく、処理を終了する。
【００２３】
上記構成とすることにより、使用者の意志とは無関係に接触部１２の多様な作動状態を実現することができるので、より意外性に富んだリズム体感および快感を得ることができる。また、各音域を重畳的に入力可能な音楽等を入力情報として使用することが望ましい。これにより、音楽の音域やテンポによって、接触部１２のより多様な作動状態を実現することができる。
【００２４】
例えば、上記構成の携帯リズム体感器具を女性の局部を刺激するためのものとして使用する場合において、最初はさわやかな音楽をセットし、徐々にリズミカルな音楽に移行していく等によって、使用者の気分の高揚に応じた振動刺激を与えることができるので、より大きな感動および快感を得ることができる。
【００２５】
上記実施形態では、振動体１５，１６，１７の振動の有無のみを制御する例を示したが、これに限ることなく、振動体１５，１６，１７の振動の強さ、および／または、振動の周期を制御することとしてもよい。さらには、これらの要素を複合的に制御することとしてもよい。
【００２６】
また、上記実施形態では、低音域の下限および高音域の上限を設けることとした例を示したが、これに限ることなく、全ての周波数帯をいずれかの領域に区分することとしてもよい。さらには、周波数帯を低音域、中音域、高音域の３種類としたが、これに限ることなく、任意の領域に区分可能である。
【００２７】
さらに、上記実施形態では、情報収集手段として音情報を収集する集音手段を用いて、収集した音の周波数によって振動体の振動を制御する例を示したが、これに限ることなく、収集した音の強弱によって振動体を制御することとしてもよい。
【００２８】
または、他の情報収集手段を用いてもよい。例えば、図５に示すように、携帯リズム体感器具２１と同様の構成で、マイク１３に代えて入力端子２３を設けてもよい。これにより、ＰＣ、テレビ、各種携帯情報端末等から音楽情報等のデジタル情報を直接入力して、振動体の振動を制御することとしてもよい。
【００２９】
この場合、情報判別手段としては、ビットデータを判別するビットデータ判別手段であり、予め定められたビット列に応じて、振動体の多様な制御が可能となる。
【００３０】
上記の携帯リズム体感器具１１は、女性の局部刺激用の携帯リズム体感器具として使用することとしてもよいが、これに限ることなく、前立腺刺激用の携帯リズム体感器具として、男女共に適用可能である。
【００３１】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００３２】
娯楽用の携帯リズム体感器具として、有利に利用される。
【図面の簡単な説明】
【００３３】
【図１】従来の携帯リズム体感器具を示す概略図である。
【図２】本考案の一実施形態に係る携帯リズム体感器具である。
【図３】図２の接触部の拡大断面図である。
【図４】本考案の一実施形態に係る携帯リズム体感器具の作動状態を表すフロー図である。
【図５】本考案の他の実施形態に係る携帯リズム体感器具である。
【符号の説明】
【００３４】
１  マッサージ器具、１１，２１  携帯リズム体感器具、２，１２，２２  接触部、３  センサ、４  接続ケーブル、１３  マイク、２３  入力端子、１４，２４  本体、１４ａ，２４ａ  主電源スイッチ、１４ｂ，２４ｂ  調節つまみ、１５，１６，１７  振動体。
【図１】
0003113563.tif 000003
【図２】
0003113563.tif 000004
【図３】
0003113563.tif 000005
【図４】
0003113563.tif 000006
【図５】
0003113563.tif 000007
【手続補正書】
【提出日】平成17年4月7日(2005.4.7)
【手続補正１】
【補正対象書類名】明細書
【補正対象項目名】０００２
【補正方法】変更
【補正の内容】
【０００２】
従来、人体の所定の部位に対して刺激を与える器具として、例えば、図１に示すようなマッサージ器具１は、バイブレータ２と、携帯電話の着信に反応するセンサ３とを備え、バイブレータ２およびセンサ３が接続ケーブル４により接続されている。
【手続補正２】
【補正対象書類名】明細書
【補正対象項目名】０００３
【補正方法】変更
【補正の内容】
【０００３】
このマッサージ器具１は、センサ３により携帯電話の着信電波を感知して、バイブレータ２の作動のＯＮ／ＯＦＦを切り替えるものである。
【手続補正３】
【補正対象書類名】明細書
【補正対象項目名】００２４
【補正方法】削除
【補正の内容】
【手続補正４】
【補正対象書類名】明細書
【補正対象項目名】００３０
【補正方法】削除
【補正の内容】
【手続補正書】
【提出日】平成17年6月9日(2005.6.9)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】
この考案は、人体の所定の部位に対して刺激を与える器具に関し、特に、音情報を感知してリズムを体感できる携帯リズム体感器具に関するものである。
【背景技術】
【０００２】
従来、人体の所定の部位に対して刺激を与える器具として、例えば、図１に示すようなマッサージ器具１は、バイブレータ２と、携帯電話の着信に反応するセンサ３とを備え、バイブレータ２およびセンサ３が接続ケーブル４により接続されている。
【０００３】
このマッサージ器具１は、センサ３により携帯電話の着信電波を感知して、バイブレータ２の作動のＯＮ／ＯＦＦを切り替えるものである。
【考案の開示】
【考案が解決しようとする課題】
【０００４】
上記公報に記載されているマッサージ器具１は、バイブレータ２の作動状態を使用者の意志とは無関係に変更することができる。しかし、作動状態としては、バイブレータ２が、振動している状態、または、振動していない状態の２つの状態しかないので、作動の態様が意外性に乏しい。
【０００５】
そこで、本考案の目的は、外部からの信号により、多様な作動状態を任意に変更可能な携帯リズム体感器具を提供することである。
【課題を解決するための手段】
【０００６】
この発明に係る携帯リズム体感器具は、人体の所定の部位に当てられる接触部と、接触部内に配置される第１振動体と、接触部内であって第１振動体とは異なる位置に配置される第２振動体と、異なった種類の情報を収集する情報収集手段と、情報収集手段によって収集した情報の種類を判別する情報判別手段と、情報判別手段によって第１の情報が検出されたことに応答して第１振動体を動作させる信号を発する第１制御部、および、情報判別手段によって第１の情報とは異なる第２の情報が検出されたことに応答して第２振動体を動作させる信号を発する第２制御部を含む振動制御手段とを備える。
【０００７】
上記構成とすることにより、使用者の意志とは無関係に、多様な振動状態を実現可能となるので、より意外性に富んだリズム体感および快感を得ることができる。
【０００８】
情報判別手段は、例えば、異なった周波数帯域の音を判別する音判別手段であって、第１の情報は低周波数帯域の音であり、第２の情報は高周波数帯域の音であるとよい。または、情報判別手段は、例えば、音の強さを判別する情報判別手段であって、第１の情報は弱い音であり、第２の情報は強い音である。これにより、例えば、入力する情報を音楽等とすることにより、音楽の音域やテンポによって、多様な振動状態を実現可能な携帯リズム体感器具を得ることができる。
【０００９】
さらには、情報判別手段は、ビットデータを判別するビットデータ判別手段であり、第１の情報および第２の情報は予め定められたビット列であってもよい。これにより、ＰＣ、テレビ、各種携帯情報端末等から直接、音楽等の情報を入力することができる。
【００１０】
好ましくは、第１振動体および第２振動体は、互いに振動の態様が異なっている。また、好ましくは、振動制御手段は、情報判別手段が判別した情報の種類によって、第１振動体および第２振動体の振動の態様を任意に変更する。そして、振動の態様とは、例えば、振動の強さ、および／または、振動の周期である。
【００１１】
接触部に内蔵される第１振動体および第２振動体には、その振動の強さ、または、振動の周期が互いに異なる振動体を使用することにより、または、振動制御手段により、各振動体の振動の強さ、および／または、振動の周期を任意に制御可能とすることにより、使用者の意志とは無関係に、より多様な振動状態を実現可能な携帯リズム体感器具を得ることができる。
【００１２】
その結果、上記の携帯リズム体感器具を、音楽鑑賞時などの携帯リズム体感器具として使用することにより、より大きな感動および快感を得ることができる。
【考案の効果】
【００１３】
この考案は、使用者の意志とは無関係に、人体の所定の接触部に多様なリズム振動状態を実現することができるので、意外性に富んだリズム体感および快感を与えることができる携帯リズム体感器具を得ることができる。
【考案を実施するための最良の形態】
【００１４】
図２および図３を参照して、この考案の一実施形態に係る音感知式携帯リズム体感器具を説明する。
【００１５】
携帯リズム体感器具１１は、図３に示すように、人体の所定の部位に当てられる接触部１２と、異なった種類の音を収集する情報収集手段としてのマイク１３と、振動制御手段として動作する振動制御装置（図示せず）を含む、携帯可能な大きさの本体１４とを備える。また、本体１４には、主電源スイッチ１４ａと、接触部１２の振動の大きさを調節する調節つまみ１４ｂとが設けられている。
【００１６】
また、図３は、接触部１２の拡大断面図である。接触部１２は、その長手方向の位置をずらして、それぞれ振動発生手段として動作する第１振動体１５と、第２振動体１６と、第３振動体１７とを内蔵する。
【００１７】
振動制御装置は、マイク１３から入力される音の種類を判別する情報判別手段としての音判別装置と、音判別装置によって検出された音の属する音域によって、振動体１５，１６，１７それぞれを動作させる信号を発する第１〜第３制御部（図示せず）を含む。
【００１８】
例えば、図４を参照して、図２に示した携帯リズム体感器具１１の動作の一例を説明する。
【００１９】
音判別装置は、予め周波数帯により、第１の音としての低音域と、第２の音としての中音域と、第３の音としての高音域とに区分する。マイク１３が検出した音情報が音判別装置に入力されると（ステップＳ１１、以下、「ステップ」を省略する）、音判別装置は、その音情報の周波数帯が予め設定した低音域に含まれるか否かを判断する（Ｓ１２）。低音域に含まれる場合には（Ｓ１２でＹｅｓ）、第１制御部から第１振動体１５を動作させる信号を発する（Ｓ１３）。
【００２０】
入力された音情報が低音域に含まれない場合（Ｓ１２でＮｏ）、次に、音判別装置は、中音域に含まれるか否かを判断する（Ｓ１４）。中音域に含まれる場合には（Ｓ１４でＹｅｓ）、第２制御部から第２振動体１６を動作させる信号を発する（Ｓ１５）。
【００２１】
同様に、入力された音情報が中音域に含まれない場合は（Ｓ１４でＮｏ）、音判別装置は、高音域に含まれるか否かを判断し、含まれる場合には（Ｓ１６でＹｅｓ）、第３制御部が第３振動体１７を動作させる信号を発する（Ｓ１７）。
【００２２】
一方、入力された音情報が低音域、中音域、高音域のいずれにも含まれない場合、すなわち、低音域よりも低周波数の音や、高音域よりも高周波数の音であった場合には（Ｓ１６でＮｏ）、振動体１５，１６，１７の動作指示を行うことなく、処理を終了する。
【００２３】
上記構成とすることにより、使用者の意志とは無関係に接触部１２の多様な作動状態を実現することができるので、より意外性に富んだリズム体感および快感を得ることができる。また、各音域を重畳的に入力可能な音楽等を入力情報として使用することが望ましい。これにより、音楽の音域やテンポによって、接触部１２のより多様な作動状態を実現することができる。
【００２４】
上記実施形態では、振動体１５，１６，１７の振動の有無のみを制御する例を示したが、これに限ることなく、振動体１５，１６，１７の振動の強さ、および／または、振動の周期を制御することとしてもよい。さらには、これらの要素を複合的に制御することとしてもよい。
【００２５】
また、上記実施形態では、低音域の下限および高音域の上限を設けることとした例を示したが、これに限ることなく、全ての周波数帯をいずれかの領域に区分することとしてもよい。さらには、周波数帯を低音域、中音域、高音域の３種類としたが、これに限ることなく、任意の領域に区分可能である。
【００２６】
さらに、上記実施形態では、情報収集手段として音情報を収集する集音手段を用いて、収集した音の周波数によって振動体の振動を制御する例を示したが、これに限ることなく、収集した音の強弱によって振動体を制御することとしてもよい。
【００２７】
または、他の情報収集手段を用いてもよい。例えば、図５に示すように、携帯リズム体感器具２１と同様の構成で、マイク１３に代えて入力端子２３を設けてもよい。これにより、ＰＣ、テレビ、各種携帯情報端末等から音楽情報等のデジタル情報を直接入力して、振動体の振動を制御することとしてもよい。
【００２８】
この場合、情報判別手段としては、ビットデータを判別するビットデータ判別手段であり、予め定められたビット列に応じて、振動体の多様な制御が可能となる。
【００２９】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００３０】
娯楽用の携帯リズム体感器具として、有利に利用される。
【図面の簡単な説明】
【００３１】
【図１】従来の携帯リズム体感器具を示す概略図である。
【図２】本考案の一実施形態に係る携帯リズム体感器具である。
【図３】図２の接触部の拡大断面図である。
【図４】本考案の一実施形態に係る携帯リズム体感器具の作動状態を表すフロー図である。
【図５】本考案の他の実施形態に係る携帯リズム体感器具である。
【符号の説明】
【００３２】
１  マッサージ器具、１１，２１  携帯リズム体感器具、２，１２，２２  接触部、３  センサ、４  接続ケーブル、１３  マイク、２３  入力端子、１４，２４  本体、１４ａ，２４ａ  主電源スイッチ、１４ｂ，２４ｂ  調節つまみ、１５，１６，１７  振動体。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】
【手続補正４】
【補正対象書類名】手続補正書
【補正対象項目名】手続補正４
【補正方法】削除
【補正の内容】